(57)【要約】  本発明は、シャフトと、ハンドルと、を有する微小破壊ピックに関するものである。このシャフトは、近位端と、遠位端と、を有しており、ここで、遠位端は、屈曲した先端部を含んでいる。ハンドルは、第１の端部と、第２の端部と、それらの間に配置されたインパクト面を備えた本体を有している。ハンドルは、第１の端部において、シャフトの近位端に連係可能に結合されている。また、微小破壊刺激を与えるための方法が開示されている。
2009529987.tif 000002
【特許請求の範囲】
【請求項１】
微小破壊ピックであって、
近位端と遠位端とを有するシャフトであって、前記遠位端に屈曲した先端部を有するシャフトと、
本体を有するハンドルであって、前記本体は、第１の端部と、第２の端部と、それらの間に配置されたインパクト面を有しており、前記ハンドルは、前記第１の端部において前記シャフトの前記近位端と連係可能に結合されているハンドルと、
を具備してなることを特徴とする微小破壊ピック。
【請求項２】
前記インパクト面は、前記第１の端部に隣接して配置されていることを特徴とする請求項１に記載の微小破壊ピック。
【請求項３】
前記ハンドルはさらに、溝を具備してなることを特徴とする請求項１に記載の微小破壊ピック。
【請求項４】
さらに、前記第２の端部に連係可能に結合された重りを具備してなることを特徴とする請求項１に記載の微小破壊ピック。
【請求項５】
前記第２の端部は、前記第１の端部よりも大きな質量を有していることを特徴とする請求項１に記載の微小破壊ピック。
【請求項６】
前記ハンドルは、前記シャフトに対して角度θで取り付けられていることを特徴とする請求項１に記載の微小破壊ピック。
【請求項７】
θは約０度ないし約４５度であることを特徴とする請求項６に記載の微小破壊ピック。
【請求項８】
前記本体は、円柱状であることを特徴とする請求項１に記載の微小破壊ピック。
【請求項９】
前記本体は、非円柱状であることを特徴とする請求項１に記載の微小破壊ピック。
【請求項１０】
前記シャフトは、ステンレススチールから構成されることを特徴とする請求項１に記載の微小破壊ピック。
【請求項１１】
前記ハンドルの少なくとも一部分は、プラスチックから構成されることを特徴とする請求項１に記載の微小破壊ピック。
【請求項１２】
前記ハンドルの少なくとも一部分は、金属から構成されることを特徴とする請求項１に記載の微小破壊ピック。
【請求項１３】
さらに、前記インパクト面に取り付けられたウェアプレートを具備してなることを特徴とする請求項１に記載の微小破壊ピック。
【請求項１４】
微小破壊刺激を与える方法であって、
前記方法は、
近位端と遠位端とを備えたシャフトと、本体を有するハンドルとを有する微小破壊ピックであって、前記シャフトは、前記遠位端において屈曲した先端部を有し、かつ前記本体は、第１の端部と、第２の端部と、それらの間に配置されたインパクト面とを有し、かつ前記ハンドルは、前記第１の端部における前記シャフトの前記近位端と連係可能に結合されている微小破壊ピックを提供するステップと、
前記先端部を刺激の所望ポイントに配置するステップと、
前記インパクト面に衝撃を与えるステップと、
前記先端部を移動させるステップと、
を具備すること特徴とする方法。
【請求項１５】
前記先端部を刺激の所望ポイントに配置する前記ステップは、前記シャフトの少なくとも一部分を、関節鏡検査カニューレの中へ挿入するステップを具備することを特徴とする請求項１４に記載の方法。
【請求項１６】
前記インパクト面に衝撃を与える前記ステップは、前記先端部の方向に対して略平行な方向に前記インパクト面に衝撃を与えるステップを具備することを特徴とする請求項１４に記載の方法。
【請求項１７】
外科用デバイスは、
ハンドルを具備してなる近位部分と、
シャフトを具備してなる遠位部分であって、屈曲した先端部を具備してなることを特徴とする端部を具備してなる遠位部分と、
前記近位部分と前記遠位部分との間に配置されたインパクト面と、
を具備してなり、
前記外科用デバイスは、一体構造を具備してなることを特徴とする構成体を具備してなる外科用デバイス。
【請求項１８】
前記外科用デバイスであって、
第１の端部と、第２の端部と、それらの間に配置されたインパクト面とを具備してなる近位部分と、
第１の端部と、第２の端部とを具備してなる遠位部分であって、前記第２の端部が前記近位部分の前記第１の端部に連係可能に結合されており、前記第１の端部が屈曲した先端部を具備してなることを特長とする前記遠位部分と、
を具備してなることを特徴とする外科用デバイス。
【請求項１９】
前記インパクト面は、前記近位部分の前記第１の端部に隣接して配置されていることを特徴とする請求項１８に記載の外科用デバイス。
【請求項２０】
前記近位部分は、前記遠位部分に対して角度θで取り付けられていることを特徴とする請求項１８に記載の外科用デバイス。
【請求項２１】
θは、約０度ないし約４５度であることを特徴とする請求項２０に記載の外科用デバイス。
【請求項２２】
前記先端部は、角度αで前記遠位部分に対して屈曲していることを特徴とする請求項１８に記載の外科用デバイス。
【請求項２３】
αは、約２０度ないし約９０度であることを特徴とする請求項２２に記載の外科用デバイス。
【請求項２４】
前記外科用デバイスは、微小破壊ピックを具備してなることを特徴とする請求項１８に記載の外科用デバイス。
【請求項２５】
前記電外科用デバイスはさらにシースを具備してなり、前記シースは、少なくとも一つのチャネルを具備してなり、前記遠位部分の前記第１の端部の前記屈曲した先端部は、前記チャネルの中に配置されていることを特徴とする請求項１８に記載の前記電外科用デバイス。
【請求項２６】
前記シースは、溝を具備してなることを特徴とする請求項２５に記載の外科用デバイス。
【請求項２７】
刺激を与える処置を実施するための方法であって、
前記方法は、
第１の端部と第２の端部とそれらの間に配置されるインパクト面とを具備してなる近位部分と、第１の端部と、第２の端部とを具備してなる遠位部分とを具備してなる外科用デバイスであって、前記第２の端部は前記近位部分の前記第１の端部に連係可能に結合されており、前記第１の端部は屈曲した先端部を具備してなる外科用デバイスを提供するステップと、
前記先端部を刺激の所望ポイントに配置するステップと、
前記インパクト面に衝撃を与えるステップと、
前記先端部を移動させるステップと、
を具備してなることを特徴とする方法。
【請求項２８】
前記インパクト面に衝撃を与える前記ステップは、前記先端部の方向に対して略平行な方向において前記インパクト面に衝撃を与えるステップを具備することを特徴とする請求項２７に記載の方法。
【請求項２９】
外科用デバイスであって、
第１の端部と、第２の端部と、それらの間に配置されたインパクト面とを具備してなる近位部分と、
第１の端部と第２の端部とを具備してなる遠位部分であって、前記第２の端部は前記近位部分の前記第１の端部に連係可能に結合されており、前記第１の端部は角度βで前記遠位部分に対して角度をなしている前記遠位部分と、
を具備してなることを特徴とする外科用デバイス。
【請求項３０】
前記角度βは、約９０度であることを特徴とする請求項２９に記載の外科用デバイス。
【請求項３１】
前記遠位部分の前記第１の端部は、とがった先端部を形成していることを特徴とする請求項２９に記載の外科用デバイス。
【発明の詳細な説明】
【技術分野】
【０００１】
本発明は概して、微小破壊刺激を与えること、さらに言えば、微小破壊刺激を与えることに使用するためのデバイスに関するものである。
【０００２】
本出願は、２００６年３月１５日に出願された米国仮出願第60/782,393号の利益を主張するものであり、その開示は、この引用によって、その全体が本明細書中に組み込まれる。
【背景技術】
【０００３】
連結体関節は、ヒアリン軟骨によって表面が形成されているが、それは、非常に耐久性のある磨耗係数の低い天然材料である。繰り返し高い負荷を受けたときに、例えば走るときに、多くの場合、これらの表面は損傷する。これは特に、足関節部、膝関節部、股関節部および脊椎などの下半身の圧縮された関節に当てはまる。
【０００４】
軟骨表面を新しくすることは、整形外科産業における研究の大きな分野となっている。ある方法が微小破壊(microfracture)と呼ばれている。微小破壊は、関節移植片と共に損傷された関節軟骨を交換することではなく、繊維軟骨を伴う表面を交換するために、体に刺激を与えること(microfracture stimulates)である。繊維軟骨は頑強ではなく、またヒアリン軟骨が有するような低い磨耗係数を有しているが、しかしそれはまさに患者の痛みを低減し、そして彼らが活動的な生活を送ることを可能にする。
【０００５】
微小破壊は、軟骨の損傷層の第１の除去によってもたらされる。軟骨の損傷層は、約１から約６ｍｍの厚さにおいて変更可能である。したがって、鋭い微小破壊ピックは、血液供給のために、下側にある軟骨下骨(underlying subchondral bone)を通って、約２ｍｍから約５ｍｍ下方へ動かされる。ピックが取り除かれたとき、小さなチャネルが残る。血液は、チャネルに沿って移動しかつ軟骨が除去された領域内で凝固する。この技術は、取り除かれた軟骨の領域内に一連のチャネルを要求する。
【０００６】
微小破壊ピックは、この技術に使用されるために考案された。ピックは、ピックのシャフトの長手方向軸に対してさまざまな角度で屈曲された鋭い先端部を備えている。通常、微小破壊ピックは、２０，４０，６０もしくは９０度の角度を有する先端部と共に使用可能である。
【０００７】
図１および図２に、二つの従来品微小破壊ピック１０，１６を示す。各ピック１０，１６は、近位端１２，１８と、遠位端１３，２０とを有している。さらに、各ピック１０，１６は、その遠位端１３，２０に、鋭い屈曲した先端部１４，２２を有している。第２のピック１６がより鋭い角度で屈曲された先端部２２を有していることを除けば、第２のピック１６は、第１のピック１０と同一である。
【０００８】
図３には、第１のピック１０または第２のピック１６のいずれかと共に使用するために構成されたハンドル２４を示す。ハンドル２４は、衝撃端２８と受容端部２６とを有している。受容端部２６は、ピック１０，１６の近位端１２，１８を受容する穴(図示せず)を含んでいる。使用中、外科医は、ピック１０，１６をハンドル２４へ取り付け、チャネルに関する所望された位置において先端部を配置し、そして先端部１４，２２が下側にある軟骨下骨を通って約２ｍｍから５ｍｍ挿入されるまで、衝撃質量体(図示せず)を用いて衝撃端２８に打撃を与える。
【０００９】
ゆえに、ハンドル２４は、衝撃端２８に衝撃を与えるように設計されており、力は、衝撃端２８からピック１０，１６のシャフトを介して最終的には先端部１４，２２へ軸方向に伝達される。先端部角度が９０度に達する場合、軸方向のインパクトは、先端部の方向に作用する力を伝達しない。その結果、細長い穴が軟骨下骨に形成されるが、それは理想的ではなく、血液供給がなされるのに、より長い時間を要する。さらに、先端部が、軟骨下骨の中に係合させられかつ近位ハンドルが衝撃質量体を用いて衝撃を与えられる場合、先端部は、大きな応力を受ける。
【発明の開示】
【発明が解決しようとする課題】
【００１０】
したがって、微小破壊ピックに関するこの技術においては、先端部角度が９０度へ達するときでさえ、先端部の方向に力を伝達することを可能にする必要がある。
【課題を解決するための手段】
【００１１】
上記問題に鑑みて、本発明が提供された。
【００１２】
第１の態様において、本発明は、近位端と遠位端とを有するシャフトを含む微小破壊ピックに関するものであり、このシャフトは遠位端に屈曲した先端部を有しており、ハンドルは本体を有しており、本体は、第１の端部と、第２の端部と、それらの間に配置されたインパクト面とを有している。ハンドルは、第１の端部におけるシャフトの近位端に連係可能に結合されている。ある実施形態において、ピックはさらに、第２の端部に連係可能に結合されている重りを有しており、そうした第２の端部は、第１の端部より大きい質量を有している。他の実施形態において、ピックはさらに、インパクト面に取り付けられたウェアプレート(wear plate)を含んでいる。さらに他の実施形態において、その少なくとも一部分がプラスチックまたは金属を含んでいるハンドルは、シャフトに対して角度θで取り付けられておりかつ溝を含んでいる。角度θは、約０度ないし約４５度である。さらなる他の実施形態において、インパクト面は、第１の端部に隣接して配置される。一つの実施形態において、本体は円柱状または非円柱状であり、そしてシャフトはステンレススチールを含んでいる。
【００１３】
第２の態様において、本発明は、微小破壊刺激を与える方法に関するものである。この方法は、近位端と遠位端とを有しかつ遠位端に屈曲した先端部を有するシャフトと、第１の端部と、第２の端部と、それらの間に配置されたインパクト面とを備えた本体を有しかつ第１の端部においてシャフトの近位端と連係可能に結合されているハンドルと、を備えた微小破壊ピックを提供するステップと、刺激の所望ポイントに先端部を配置するステップと、インパクト面に衝撃を与えるステップと、先端部を移動するステップと、を具備する。ある実施形態において、刺激の所望ポイントに先端部を配置するステップは、シャフトの少なくとも一部分を、関節鏡検査カニューレの中へ挿入するステップを含んでいる。他の実施形態において、インパクト面に衝撃を与えるステップは、先端部の方向に対して略平行な方向においてインパクト面に衝撃を与えるステップを備えている。
【００１４】
第３の態様において、本発明は、ハンドルを含む近位部分と、シャフトを有する遠位部分と、近位部分と遠位部分との間に配置されたインパクト面とを有する外科用デバイスに関するものであり、この遠位部分は屈曲した先端部を含む端部を有している。外科用デバイスは、一体構成を含んでいる。
【００１５】
第４の態様において、本発明は、第１の端部と第２の端部とそれらの間に配置されたインパクト面とを具備してなる近位部分と、第１の端部と第２の端部とを備えた遠位部分とを有する外科用デバイスに関するものであり、第２の端部は近位部分の第１の端部に連係可能に結合されており、第１の端部は屈曲した先端部を含んでいる。ある実施形態において、インパクト面は、近位部分の第１の端部に隣接して配置されている。他の実施形態において、近位部分は、遠位部分に対して角度θで取り付けられており、その角度は、約０度ないし約４５度である。さらに他の実施形態において、先端部は、角度αで遠位部分に対して角度をなしており、その角度は、約２０度ないし約９０度である。さらなる形態において、外科用デバイスは、少なくとも一つのチャネルを有するシースを含んでおり、ここで、前記遠位部分の前記第１の端部の前記屈曲した先端部は、前記チャネルの中に配置される。シースは、溝を含んでいてもよい。
【００１６】
第５の態様において、本発明は、刺激を与える処置を実施することに関するものである。この方法は、第１の端部と第２の端部とそれらの間に配置されるインパクト面とを含む近位部分と、第１の端部と第２の端部とを有する遠位部分と、を有する外科用デバイスを提供するステップと、刺激の所望ポイントに先端部を配置するステップと、インパクト面に衝撃を与えるステップと、先端部を移動するステップとを含んでおり、第２の端部は、近位部分の第１の端部に連係可能に結合されており、第１の端部は屈曲した先端部を備えている。ある実施形態において、インパクト面に衝撃を与えるステップは、先端部の方向に対して略平行な方向においてインパクト面に衝撃を与えるステップを含む。
【００１７】
第６の態様において、本発明は、第１の端部と第２の端部とそれらの間に配置されたインパクト面とを含む近位部分と、第１の端部と第２の端部とを備えた遠位部分とを有する外科用デバイスに関するものであり、第２の端部は近位部分の第１の端部に連係可能に結合され、第１の端部は角度βで遠位部分に対して角度をなしている。ある実施形態において、角度βは、約９０度である。他の実施形態において、遠位部分の第１の端部は、とがった先端部を形成する。
【００１８】
本発明は、従来のデバイスおよび技術に対する多数の利点を有する。第一に、この微小破壊ピックは、先端部が９０度に達する角度をなすときでさえも、力を、先端部の方向に伝達することを可能にする。第二に、微小破壊先端部の軸方向の衝撃によって、先端部の方向に作用する力が伝達されるため、ピックが血液供給を実現することに、より短い時間しか必要としない。第三に、先端部が、軟骨下骨の中に係合させられかつ近位ハンドルが衝撃質量体を用いて衝撃を与えられるとき、先端部は、先端部の方向に作用する力によって、より小さな応力しか受けない。第四に、本発明のある実施形態において、微小破壊ピックはシースを含んでおり、それは実質的に、ピックが、カニューレへ挿入されかつカニューレから引き出されるとき、先端部が鈍くなり、そして先端部が、軟質組織に捕まる可能性が低減される。
【００１９】
以下、本発明のさまざまな実施形態の構成および作用と共に、本発明のさらなる特徴、態様および利点について、図面を参照して説明する。
【発明を実施するための最良の形態】
【００２０】
本明細書に組み込まれ、かつその一部を形成する図面は、本発明の実施形態を示し、かつ詳細な説明と共に本発明の原理を説明する。
【００２１】
同じ参照番号が同じ構成要素を示している図面を参照されたい(図１例)。
【００２２】
図４には、本発明の外科用デバイス２００、例えば微小破壊ピックの第１の実施形態を示す。微小破壊ピック２００は、例えばハンドルである近位部分２１０と、例えばシャフトである遠位部分２１８とを含む。図４に示す実施形態において、ハンドル２１０は、実質的に厚みがなく、かつ実質的に平坦である。一例として、ハンドル２１０は、矩形、正方形、長円形または多角形に限定されないさまざまな形状を有していてもよい。ハンドル２１０は、本体２１２と、第１の端部２１４と、第２の端部２１６とを有している。インパクト面２２８は、ハンドル２１０とシャフト２１８との間に配置される。いくつかの実施形態において、ハンドル２１０はさらに、加熱消毒後の冷却に役立つような切欠き部２２６、例えば穴、スロット、または他の開口部を含んでいてもよい。またシャフト２１８は、第１の端部２２２に先端部２２を有している。シャフト２１８の第２の端部２２０は、ハンドル２１０の第１の端部２１４と連係可能に結合されていてもよく、あるいは外科用デバイス２００は、別体の構成体ではなく、互いに一体化されたハンドル２１０、シャフト２１８およびインパクト面２２８に特徴付けられる一体構成を有していてもよい。
【００２３】
図５は、本発明の第１の実施形態１１０が使用されている状態での側面図である。一例として言うと、微小破壊ピック１１０は、寛骨臼用カップ１０２と大腿骨１００との間の繊維軟骨の生成のためのチャネル(図示せず)を形成するために使用可能である。先端部２１６は、軟骨層１０１における破損箇所でありかつ軟骨が存在しない場所である領域内に配置される。手術において、微小破壊ピック１１０は、先端部１２６が正確に配置されるまで、皮膚を通って関節鏡検査カニューレ(図４、１５０)によって挿入されてもよい。微小破壊ピックが配置された後に、下側にある軟骨下骨を通って約２ｍｍから約５ｍｍの間で先端部１２６を作動させるため、衝撃質量体１２８、例えばハンマー、小槌または他の塊が、インパクト面１２４に衝撃を与えるよう使用される。シャフト１２を通る軸方向ではなく、先端部１２６と略平行になる方向に、微小破壊ピック１１０は強く衝突させられるため、先端部１２６の侵入がより有効なものとなる。すなわち、そのインパクト面１２４において、微小破壊ピック１１０を強く衝突させることよって、衝撃質量体１２８からのエネルギーは、必要とされるその方向に伝達される。
【００２４】
図５から分かるように、患者の皮膚１０６とインパクト面１２４との間には、限定された大きさの空間が存在する。したがって、衝撃質量体１２８を振るうための小さな余地が存在する。図６および図８には、この問題に取り組む微小破壊ピック３００の第２の実施形態と第３の実施形態とを示す。この微小破壊ピック３００は、例えばハンドルである近位部分３１０と、例えばシャフトである遠位部分３１８とを含む。図６に示す実施形態において、ハンドル３１０は、実質的に円柱状である。ハンドル３１０は、第１の端部３１４と、第２の端部３１６と、第１の端部３１４と第２の端部３１６との間に配置されたインパクト面３２８とを含む。付加的に、ハンドル３１０は、長手方向に溝３２６を備えていてもよい。シャフト３１８は、第１の端部３２２と、第２の端部３２０とを含む。さらにシャフト３１８は、第１の端部３２２に屈曲した先端部３２４を有する。先端部３２４は、角度αでもしくは約２０度から約９０度の間で、シャフト３１８に対して角度をなしている。図６に示す実施形態において、シャフト３１８は、第１の端部３２２において先細りしている。さらに、ハンドル３１０は、シャフト３１８に対して、約０度ないし約４５度の角度θで取り付けられている。
【００２５】
図７に示すとおり、手術の際には、微小破壊ピック３００は、まず、その適切な位置に配置される。先端部３２４は、軟骨層３０１内の破損箇所でありかつ軟骨の存在しない領域３０４に配置される。下側にある軟骨下骨を通って約２ｍｍから約５ｍｍの間で先端部３２４を動作させるため、微小破壊ピックが配置された後に、衝撃質量体３３０はインパクト面に衝撃を与えるために使用される。ハンドル３１０がシャフト３１８に対して角度をなすように取り付けられた場合に、皮膚とインパクト面との間には、衝撃質量体を振ることができる、さらなる余地が存在する。
【００２６】
図８には、微小破壊ピック４００の第３の実施形態を示す。微小破壊ピック４００は、ハンドル４１０とシャフト４１８とを含む。ハンドル４１０は、本体４１２と、第１の端部４１４と第２の端部４１６とを有する。ハンドル４１０は、第１の端部４１４と第２の端部４１６との間に配置されたインパクト面４２８を含む。さらに、ハンドル４１０は、長手方向に溝４２６を含んでいてもよい。シャフト４１８は、近位端４２０と遠位端４２２を含む。シャフト４１８はさらに、遠位端４２２の上に屈曲した先端部４２４を有している。任意選択で、微小破壊ピック４００は、インパクト面４２８に取り外しできるように結合されたウェアプレート４３２を含んでいてもよい。ウェアプレート４３２は消耗するため、ウェアプレート４３２は、取り外されること、および微小破壊ピック４００の本体全体を取り替えずに交換することができる。ハンドル４１０は、金属またはプラスチックから形成できる。図８に示す実施形態において、ハンドル４１０は、硬化ステンレススチールから形成される。その上、ハンドル４１０の質量を増大させるために、重り４３０は、第２の端部４１６と結合されていてもよい。重り４３０は、本体４１２に取り外し可能に付加される構成要素と一体であっても、もしくは別体であってもよい。微小破壊ピック４００は、図６に示す作動中のピック３００の非常に類似している。
【００２７】
図９には、本発明の外科用デバイス５００、例えば微小破壊ピックの第４の実施形態を示す。ピック５００は、直線的な第１の端部５２２と共に、遠位部分５１８、またはシャフトを代わりに有しているが、図６に示すピックと同等のものであり、第１の端部５２２は、湾曲しているかもしくは遠位部分に対して角度β(ここでは９０度)で角度をなしており、かつとがった先端部５２４を含んでいる。図１０ａおよび図１０ｂに示すとおり、これによって、(図５および図７に適切に示すように)衝撃質量体を用いてインパクト面５２８に衝撃を与えるとき、第１の端部５２２の内側部分と寛骨臼用カップとの間の接触がより低減される。
【００２８】
図１１ａ〜図１１ｂおよび図１２ａ〜図１２ｂに示すとおり、本発明の外科用デバイス５００は、シース６００を含んでいてもよい。わかりやすくするために、シース６００の遠位部分６０３のみを示す。ただし、シース６００は、外科用デバイス５００の全体の長さまで延在していても、そしてハンドルを有する近位部分を含んでいてもよい。図１１ａ〜図１１ｂに示すとおり、シース６００は、外科用デバイス５００のとがった先端部５２４を収容するチャネル６０１を含んでいる。図１２ａ〜図１２ｂに示すとおり、さらにシースは、溝６０２を含んでいてもよい。溝６０２は、図１２ｂに示すとおりに、チャネル６０１の先端に配置されていてもよいが、チャネル６０１の周辺または近位に配置されていてもよい。使用中に、先端部５２４は、デバイス５００が患者の体内に配置された後、チャネル６０１から移動させられ、そしてシース６００が取り外される。シース６００および／またはデバイス５００のハンドル(図示せず)を移動することあるいは曲げることによって、もしくはその後に続くデバイス５００の移動のために、溝６０２の中に、とがった先端部５２４を配置するようシース６００の遠位部分６０３の方向へデバイス５００を押圧することによって、先端部５２４を、チャネル６０１から移動してもよい。シース５０１は、プラスチック材料を含んでおりかつ成型処置によって製造されるが、他の材料を含むことあるいは当業者にとって公知の他の処置によって製造することも可能である。シース６００を含むことによって、デバイス５００のとがった先端部５２４は、門脈(portal)内へデバイスを挿入しているときに、カニューレに対する擦過から保護され、それによって、先端部５２４が鈍くなる可能性が実質的に低減される。その上、シース６０は、デバイス５００が溝付カニューレから抜け出して回転するため、先端部５２４が軟質組織に当たる可能性も低減する。チャネル６０１は、約０.０９０インチの幅を有している。
【００２９】
図１２に示すとおり、さらに本発明は、患者に微小破壊刺激を与えるための方法(７００)を備えている。この方法の第１のステップは、微小破壊ピックの近位端と遠位端との間に配置されたインパクト面を供えた微小破壊ピックを提供すること(７０１)である。第２のステップは、刺激の所望ポイントに微小破壊ピックの先端部を配置すること(７０２)である。このステップは、標準関節鏡検査カニューレの中へ微小破壊ピックの少なくとも一部分を挿入することを含んでいてもよい。第３のステップは、血液供給のために、下側にある軟骨下骨を通って、先端部が約２ｍｍから約５ｍｍの間で作動させられるまで、衝撃質量体を用いてインパクト面に衝撃を与えること(７０３)である。このステップは、先端部の方向と略平行の方向において、インパクト面に衝撃を与えることを含んでもよい。第４のステップは、先端部を移動すること(７０４)であり、それによって、下側にある軟骨下骨の中に小さなチャネルが残される。最終的には、血液が繊維状軟骨を形成するようチャネルの中へ移動する。
【００３０】
上記説明により、本発明のいくつかの利点が、達成されかつ実現されることは明らかである。
【００３１】
本発明の原理およびその実際的な用途を最適に説明するために、本実施形態を選択しかつ記述したが、これによって、考えられる個々の使用に適するように、さまざまな実施形態においてかつさまざまな変形と共に他の当業者が本発明を最適に使用することが可能となる。
【００３２】
本発明の範囲から逸脱することなく本明細書で開示しかつ図示した構成要素および方法には、さまざまな変更を施すことができるため、上記説明に含まれるかまたは図面に示す、すべての事項は限定ではなく例証として解釈されるべきである。したがって、本発明の外延および範囲は、上述の代表的な実施形態のいずれによっても限定されないことが望ましく、本明細書に添えられた特許請求の範囲の記載およびそれに等価のものに基づいて規定されるべきである。
【図面の簡単な説明】
【００３３】
【図１】従来型のデバイスの第１の実施形態を示す図である。
【図２】従来型のデバイスの第２の実施形態を示す図である。
【図３】図１および図２に示すデバイスと共に使用するためのハンドルを示す図である。
【図４】本発明の第１の実施形態の側面図である。
【図５】本発明の第１の実施形態の使用状態を示す側面図である。
【図６】本発明の第２の実施形態の側面図である。
【図７】本発明の第２の実施形態の使用状態を示す側面図である。
【図８】本発明の第３の実施形態の側面図である。
【図９】本発明の第４の実施形態の側面図である。
【図１０ａ】微小破壊刺激を与えるために使用されている状態での、第２の実施形態の屈曲した先端部の拡大図である。
【図１０ｂ】微小破壊処置において使用されている状態での、第４の実施形態の屈曲した先端部の拡大図である。
【図１１ａ】本発明の微小破壊ピックと共に使用されるシースの第１の実施形態を示す図である。
【図１１ｂ】図１１ａに示すシース／微小破壊ピックの結合体を示す断面図である。
【図１２ａ】本発明にかかる微小破壊ピックと共に使用されるシースの第２の実施形態を示す図である。
【図１２ｂ】本発明にかかる微小破壊ピックと共に使用される図１２ａのシースの断面図である。
【図１３】本発明にかかる微小破壊刺激を与えるための方法を示す図である。
【符号の説明】
【００３４】
１０，１６  ピック
１２，１８  近位端
１３，２０  遠位端
１４，２２  先端部
２４  ハンドル
２６  受容端部
２８  衝撃端
１００  大腿骨
１０１  軟骨層
１０２  寛骨臼用カップ
１０６  皮膚
１１０  微小破壊ピック
１２４  インパクト面
１２６  先端部
１２８  衝撃質量体
１５０  関節鏡検査カニューレ
２１０  ハンドル
２１２  本体
２１４  第１の端部
２１６  第２の端部
２１８  シャフト
２２０  第２の端部
２２２  第１の端部
２２６  切欠き部
２２８  インパクト面
３００  微小破壊ピック
３０１  軟骨層
３０４  軟骨の存在しない領域
３１０  ハンドル
３１４  第１の端部
３１６  第２の端部
３１８  シャフト
３２０  第２の端部
３２２  第１の端部
３２４  先端部
３２６  溝
３２８  インパクト面
３３０  衝撃質量体
４００  微小破壊ピック
４１０  ハンドル
４１２  本体
４１４  第１の端部
４１６  第２の端部
４１８  シャフト
４２０  近位部分
４２２  遠位部分
４２４  先端部
４２６  溝
４２８  インパクト面
４３０  重り
４３２  ウェアプレート
５００  外科用デバイス
５１８  遠位部分
５２２  第１の端部
５２４  先端部
５２８  インパクト面
６００  シース
６０１  チャネル
６０２  溝
６０３  遠位部分
【図１】
2009529987.tif 000003
【図２】
2009529987.tif 000004
【図３】
2009529987.tif 000005
【図４】
2009529987.tif 000006
【図５】
2009529987.tif 000007
【図６】
2009529987.tif 000008
【図７】
2009529987.tif 000009
【図８】
2009529987.tif 000010
【図９】
2009529987.tif 000011
【図１０Ａ】
2009529987.tif 000012
【図１０Ｂ】
2009529987.tif 000013
【図１１Ａ】
2009529987.tif 000014
【図１１Ｂ】
2009529987.tif 000015
【図１２Ａ】
2009529987.tif 000016
【図１２Ｂ】
2009529987.tif 000017
【図１３】
2009529987.tif 000018
【国際調査報告】
2009529987.tif 000019
2009529987.tif 000020
2009529987.tif 000021
2009529987.tif 000022
2009529987.tif 000023